(57)【要約】【課題】ユーザーに対面してオフラインで直接商品・サービスを提供する提供者が、容易かつ効率的に定額制プランを提供するための定額制プラン提供装置を提供する。【解決手段】定額制プラン提供装置３０は、ユーザーに対して対面で商品・サービスを提供する提供者から提供者情報の登録を受け付ける提供者登録部３１１、ユーザーからユーザー情報の登録を受け付けるユーザー登録部３１２、提供者から商品またはサービスを所定の期間ごとに定額で提供する定額制プランの登録を受け付けるプラン登録部３１３、定額制プランを出力してユーザーから契約する定額制プランの選択を受け付ける選択受付部３１４、定額制プランの料金の支払い処理を実行し、ユーザーを定額制プランの契約者として設定する設定部３１５、およびユーザーが定額制プランの契約者であることを提供者に対して証明するための確認画面情報を出力する出力部３１６を有する。【選択図】図１１
2020067963.tif 000002
【特許請求の範囲】
【請求項１】
ユーザーに対して対面で商品またはサービスを提供する提供者から、当該提供者に関する提供者情報の登録を受け付ける提供者登録部と、
前記ユーザーから、前記ユーザーに関するユーザー情報の登録を受け付けるユーザー登録部と、
前記提供者から前記商品またはサービスを所定の期間ごとに定額で提供する定額制プランの登録を受け付けるプラン登録部と、
前記プラン登録部において受け付けられた前記定額制プランを出力して前記ユーザーから契約する前記定額制プランの選択を受け付ける選択受付部と、
前記選択受付部において選択を受け付けられた前記定額制プランの料金の支払いに関する処理を実行し、前記ユーザーを前記定額制プランの契約者として設定する設定部と、
前記ユーザーが前記定額制プランの契約者であることを、前記ユーザーが前記提供者に対して証明するための確認画面を示す確認画面情報を出力する出力部と、
を有する定額制プラン提供装置。
【請求項２】
前記出力部は、前記確認画面において所定の動的コンテンツを表示するための情報を前記確認画面情報に含めて出力する請求項１に記載の定額制プラン提供装置。
【請求項３】
前記出力部は、前記確認画面において所定の間隔ごとに現在時刻を表示するための情報を前記確認画面情報に含めて出力する請求項１または２に記載の定額制プラン提供装置。
【請求項４】
前記出力部は、前記確認画面において前記定額制プランに関する商品またはサービスの提供が行われることを確認する確認ボタンを表示するための情報を前記確認画面情報に含めて出力する請求項１〜３のいずれか一項に記載の定額制プラン提供装置。
【請求項５】
前記確認ボタンが押下されたことを検知すると、前記定額制プランの商品またはサービスの提供が行われたことを記録する管理部をさらに有する請求項４に記載の定額制プラン提供装置。
【請求項６】
前記管理部は、前記確認ボタンの押下に基づいて前記定額制プランの商品またはサービスに関する、利用状況、提供回数および残り回数のうちの少なくとも一つに関する情報を取得し、取得した情報に基づいて前記選択受付部における前記定額制プランの出力内容を異ならせる請求項５に記載の定額制プラン提供装置。
【請求項７】
前記ユーザー情報には、前記ユーザーが前記料金の支払いを行うための情報が含まれる請求項１〜６のいずれか一項に記載の定額制プラン提供装置。
【請求項８】
請求項１〜７のいずれか一項に記載の定額制プラン提供装置と、
前記ユーザーに所持され、前記定額制プラン提供装置と通信可能なユーザー端末と、を有する定額制プラン提供システムであって、
前記定額制プラン提供装置の前記出力部は、前記確認画面情報とあわせて、前記ユーザー端末において前記ユーザーの認証を行う旨の認証指示を前記ユーザー端末に送信し、
前記ユーザー端末は、
前記確認画面情報に基づいて前記確認画面を表示する表示部と、
前記認証指示に基づいて前記ユーザーの認証を行う認証部と、
を有する定額制プラン提供システム。
【請求項９】
前記認証部は、基準生体情報として予め記憶された前記ユーザーの生体情報と、前記ユーザーの認証を行う際に取得した前記ユーザーの生体情報とを比較して前記ユーザーの生体認証を行う請求項８に記載の定額制プラン提供システム。
【請求項１０】
ユーザーに対して対面で商品またはサービスを提供する提供者から、当該提供者に関する提供者情報の登録を受け付ける提供者登録ステップと、
前記ユーザーから、前記ユーザーに関するユーザー情報の登録を受け付けるユーザー登録ステップと、
前記提供者から前記商品またはサービスを所定の期間ごとに定額で提供する定額制プランの登録を受け付けるプラン登録ステップと、
前記プラン登録ステップにおいて受け付けられた前記定額制プランを出力して前記ユーザーから契約する前記定額制プランの選択を受け付ける選択受付ステップと、
前記選択受付ステップにおいて選択を受け付けられた前記定額制プランの料金の支払いに関する処理を実行し、前記ユーザーを前記定額制プランの契約者として設定する設定ステップと、
前記ユーザーが前記定額制プランの契約者であることを、前記ユーザーが前記提供者に対して証明するための確認画面を示す確認画面情報を出力する出力ステップと、
をコンピューターに実行させる定額制プラン提供プログラム。
【発明の詳細な説明】
【技術分野】
【０００１】
本発明は、定額制プラン提供装置、定額制プラン提供システムおよび定額制プラン提供プログラムに関する。
【背景技術】
【０００２】
近年、インターネットを用いた電子商取引の発達、通信回線の高速化、スマートフォン等の高機能端末の普及に伴い、書籍、動画等のコンテンツをオンラインで購入し、電子データをダウンロードやストリーミングして閲覧することが一般的になっている。
【０００３】
上記のような、オンラインでのコンテンツ提供サービスおいては、所定の期間毎に定額の料金を継続的に支払う契約を締結することによって様々なコンテンツを楽しむことができる方式（いわゆる、サブスクリプションモデル）に注目が集まっている。このため、オンラインで提供される商品・サービスにおける定額制プランを効率的に実現するための技術も各種提案されている（たとえば、特許文献１参照）。
【先行技術文献】
【特許文献】
【０００４】
【特許文献１】特開２０１６−１２６５９９号公報
【発明の概要】
【発明が解決しようとする課題】
【０００５】
しかしながら、上記特許文献１に記載されるような技術は、ユーザーに対してオンラインで提供される商品・サービスに関する定額制プランを前提としたものである。そのため、ユーザーに直接対面し、いわゆるオフラインで商品・サービスを提供する形態の商品・サービスに関する定額制プランについては何ら考慮されていない。したがって、オフラインで商品・サービスを提供する提供者が定額制プランを実現するためには、各提供者が個別に専用の仕組みを構築する必要があり、手間や費用の負担が大きく、オフラインの商品・サービスの定額制プランが普及していないという問題がある。
【０００６】
本発明は、上記事情に鑑みてなされたものであり、ユーザーに対面してオフラインで直接商品・サービスを提供する提供者が、容易かつ効率的に定額制プランを提供するための定額制プラン提供装置、定額制プラン提供システムおよび定額制プラン提供プログラムを提供することを目的とする。
【課題を解決するための手段】
【０００７】
上記の目的を達成するための、本発明の一実施形態に係る定額制プラン提供装置は、・・・
また、上記の目的を達成するための、本発明の一実施形態に係る定額制プラン提供システムは、・・・
また、上記の目的を達成するための、本発明の一実施形態に係る定額制プラン提供プログラムは、・・・
【発明の効果】
【０００８】
本発明によれば、定額制プラン提供装置は、・・・。これにより、・・・できる。したがって、・・・できる。
【図面の簡単な説明】
【０００９】
【図１】本発明の一実施形態に係る定額制プラン提供システムの概略構成を示す図である。
【図２】ユーザー端末の概略構成を示すブロック図である。
【図３】提供者端末の概略構成を示すブロック図である。
【図４】定額制プラン提供装置の概略構成を示すブロック図である。
【００１０】
【図５】定額制プラン提供装置の制御部の機能構成を示すブロック図である。
【００１１】
【図６】定額制プラン提供装置によって実行される処理の手順を示すフローチャートである。
【図７】提供者端末における提供者情報登録画面の一例を示す図である。
【図８】提供者端末における定額制プラン登録画面の一例を示す図である。
【図９】ユーザー端末におけるユーザー情報登録画面の一例を示す図である。
【図１０】ユーザー端末におけるマイページ画面の一例を示す図である。
【図１１】ユーザー端末における定額制プラン選択画面の一例を示す図である。
【図１２】ユーザー端末における会員パス一覧画面の一例を示す図である。
【図１３】ユーザー端末における会員パス画面の一例を示す図である。
【図１４】ユーザー端末における本人認証画面の一例を示す図である。
【発明を実施するための形態】
【００１２】
以下、添付した図面を参照して、本発明の実施形態について説明する。なお、図面の説明において、同一の要素には同一の符号を付し、重複する説明を省略する。また、図面の寸法比率は、説明の都合上誇張され、実際の比率とは異なる場合がある。
【００１３】
（定額制プラン提供システム）
まず、本発明の一実施形態に係る定額制プラン提供システムについて説明する。
【００１４】
図１は、本発明の一実施形態に係る定額制プラン提供システムの概略構成を示す図である。
【００１５】
図１に示すように、定額制プラン提供システム１は、ユーザー端末１０、提供者端末２０および定額制プラン提供装置３０を備える。ユーザー端末１０、提供者端末２０および定額制プラン提供装置３０は、インターネット等のネットワークを介して、相互に通信可能に接続されている。
【００１６】
ユーザー端末１０は、定額制プラン提供システム１を介して各種商品・サービスの定額制プランを利用するユーザーによって使用される端末である。ユーザー端末１０は、例えば、携帯電話やスマートフォン、タブレット端末等の携帯端末や、ＰＣ等の端末であってもよい。
【００１７】
提供者端末２０は、定額制プラン提供システム１を介してユーザーに対して対面で商品・サービスを定額料金で提供する提供者によって使用される端末である。提供者端末２０は、例えば、携帯電話やスマートフォン、タブレット端末等の携帯端末や、ＰＣ等の端末であってもよい。
【００１８】
定額制プラン提供装置３０は、定額制プランを提供するためのプラットフォームの提供者によって運営され、定額制プラン提供システム１全体を制御する装置である。定額制プラン提供装置３０は、ユーザー端末１０または提供者端末２０によってアクセス可能なウェブページを提供したり、各端末にインストール可能なアプリケーションを提供したりする。これにより、定額制プラン提供装置３０は、各端末から情報を取得して管理すると共に、各端末に対して必要な情報を提供する。
【００１９】
なお、定額制プラン提供システム１は、上述した構成要素以外の構成要素を備えてもよい。また、定額制プラン提供システム１が備える各構成要素の個数は、図１に示す例に限定されない。例えば、定額制プラン提供システム１は、・・・
続いて、各構成要素の詳細について説明する。
【００２０】
（ユーザー端末１０）
図２は、ユーザー端末の概略構成を示すブロック図である。
【００２１】
図２に示すように、ユーザー端末１０は、制御部１１、記憶部１２、通信部１３、表示部１４および操作受付部１５を備える。各構成要素は、バスを介して相互に通信可能に接続されている。
【００２２】
制御部１１は、ＣＰＵ（Ｃｅｎｔｒａｌ  Ｐｒｏｃｅｓｓｉｎｇ  Ｕｎｉｔ）を備え、プログラムに従い、上述した各構成要素の制御や各種の演算処理を実行する。
【００２３】
記憶部１２は、予め各種プログラムや各種データを記憶するＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを記憶するハードディスク等を備える。
【００２４】
通信部１３は、ネットワークを介して、他の端末や装置等と通信するためのインターフェースを備える。通信部１３は、例えば、定額制プラン提供装置３０等と各種情報等の送受信を行う。
【００２５】
表示部１４は、ＬＣＤ（液晶ディスプレイ）や有機ＥＬディスプレイ等を備え、各種情報を表示する。操作受付部１５は、タッチセンサーや、マウス等のポインティングデバイス、キーボード等を備え、ユーザーの各種操作を受け付ける。表示部１４および操作受付部１５は、表示部１４としての表示面に、操作受付部１５としてのタッチセンサーを重畳することによって、タッチパネルを構成してもよい。
【００２６】
（提供者端末２０）
図３は、提供者端末の概略構成を示すブロック図である。
【００２７】
図３に示すように、提供者端末２０は、制御部２１、記憶部２２、通信部２３、表示部２４および操作受付部２５を備える。各構成要素は、バスを介して相互に通信可能に接続されている。提供者端末２０の制御部２１、記憶部２２、通信部２３、表示部２４および操作受付部２５の各構成は、それぞれユーザー端末１０の制御部１１、記憶部１２、通信部１３、表示部１４および操作受付部１５と同様であるため、説明を省略する。
【００２８】
（定額制プラン提供装置３０）
図４は、定額制プラン提供装置の概略構成を示すブロック図である。図５は、定額制プラン提供装置の制御部の機能構成を示すブロック図である。
【００２９】
図４に示すように、定額制プラン提供装置３０は、制御部３１、記憶部３２および通信部３３を備える。各構成要素は、バスを介して相互に通信可能に接続されている。定額制プラン提供装置３０の制御部３１、記憶部３２および通信部３３の各構成は、それぞれユーザー端末１０の制御部１１、記憶部１２および通信部１３と同様であるため、説明を省略する。
【００３０】
定額制プラン提供装置３０の制御部３１は、プログラムを読み込んで処理を実行することによって、図４に示すように、提供者登録部３１１、ユーザー登録部３１２、プラン登録部３１３、選択受付部３１４、設定部３１５、出力部３１６および管理部３１７として機能する。提供者登録部３１１は、ユーザーに対して対面で商品またはサービスを提供する提供者から、当該提供者に関する提供者情報の登録を受け付ける。ユーザー登録部３１２は、定額制プランのユーザーに関するユーザー情報の登録を受け付ける。プラン登録部３１３は、提供者から商品・サービスを所定の期間ごとに定額で提供する定額制プランの登録を受け付ける。選択受付部３１４は、定額制プランを出力してユーザーから契約する定額制プランの選択を受け付ける。設定部３１５は、定額制プランの料金の支払いに関する処理を実行し、ユーザーを定額制プランの契約者として設定する。出力部３１６は、ユーザーが定額制プランの契約者であることを提供者に対して証明するための確認画面を示す確認画面情報を出力する。管理部３１７は、定額制プランの商品・サービスの提供が行われたことを記録して管理する。
【００３１】
なお、ユーザー端末１０、提供者端末２０および定額制プラン提供装置３０の各々は、上述した構成要素以外の構成要素を備えてもよいし、上述した構成要素のうちの一部を備えなくてもよい。
【００３２】
（定額制プラン提供システム１における処理）
続いて、定額制プラン提供システム１における処理の流れについて説明する。
【００３３】
本実施形態において、定額制プラン提供装置３０は、定額制プランの提供者や定額制プランの利用者であるユーザーが、各自の端末を用いてアクセス可能なウェブサイトまたはアプリケーションを提供する。ウェブサイトまたはアプリケーションにおいては、提供者向けの各種メニューと利用者向けの各種メニューが設けられ、提供者およびユーザーは、各自の端末において必要なメニューを選択し、定額制プランの提供および利用に必要な各種処理を行う。本実施形態では、定額制プラン提供装置３０が、定額制プランを提供等するためのプラットフォームをウェブサイトの形態で提供する例について、以下詳細に説明する。
【００３４】
図６は、定額制プラン提供装置によって実行される処理の手順を示すフローチャートである。図７は、提供者端末における提供者情報登録画面の一例を示す図である。図８は、提供者端末における定額制プラン登録画面の一例を示す図である。図９は、ユーザー端末におけるユーザー情報登録画面の一例を示す図である。図１０は、ユーザー端末におけるマイページ画面の一例を示す図である。図１１は、ユーザー端末における定額制プラン選択画面の一例を示す図である。図１２は、ユーザー端末における会員パス一覧画面の一例を示す図である。図１３は、ユーザー端末における会員パス画面の一例を示す図である。図１４は、ユーザー端末における本人認証画面の一例を示す図である。図６のフローチャートに示す処理のアルゴリズムは、定額制プラン提供装置３０の記憶部３２にプログラムとして記憶されており、制御部３１によって実行される。
【００３５】
図６に示すように、定額制プラン提供装置３０は、提供者から提供者情報の登録を受け付ける（ステップＳ１０１）。たとえば、定額制プラン提供装置３０は、提供者端末２０からの要求に応じて、図７に示すような提供者情報登録画面を表示するための情報を提供者端末２０に送信する。提供者端末２０は、図７の画面を表示して、提供者から、メールアドレス、企業／店舗名、紹介文、住所、業種・提供商品・サービス等の情報の入力を受け付け、受け付けた情報を定額制プラン提供装置３０に送信する。定額制プラン提供装置３０は、提供者端末２０から受信した情報を提供者情報として記憶部３２のデータベースに記憶する。
【００３６】
続いて、定額制プラン提供装置３０は、提供者からの定額制プランの登録を受け付ける（ステップＳ１０２）。たとえば、定額制プラン提供装置３０は、提供者端末２０からの要求に応じて、図８に示すような定額制プラン登録画面を表示するための情報を提供者端末２０に送信する。提供者端末２０は、図８の画面を表示して、提供者から、プラン名称、料金種類、価格、提供内容、プラン詳細説明等の情報の入力を受け付け、受け付けた情報を定額制プラン提供装置３０に送信する。定額制プラン提供装置３０は、提供者端末２０から受信した情報を提供者情報に関連付けて定額制プラン情報として記憶部３２のデータベースに記憶する。
【００３７】
続いて、定額制プラン提供装置３０は、ユーザーからユーザー情報の登録を受け付ける（ステップＳ１０３）。たとえば、定額制プラン提供装置３０は、ユーザー端末１０からの要求に応じて、図９に示すような新規ユーザー登録画面を表示するための情報をユーザー端末１０に送信する。ユーザー端末１０は、図９の画面を表示して、ユーザーから、ニックネーム、メールアドレス、パスワード等の情報の入力を受け付け、受け付けた情報を定額制プラン提供装置３０に送信する。定額制プラン提供装置３０は、ユーザー端末１０から受信した情報を新規ユーザー情報として記憶部３２のデータベースに記憶する。このとき、定額制プラン提供装置３０は、登録された新規ユーザーのメールアドレスに認証用メールを送信して、認証用メールに記載されたＵＲＬにユーザーがアクセスしたことをもって新規ユーザーの登録を正式に完了させるようにしてもよい。続いて、定額制プラン提供装置３０は、図１０に示すようなマイページ画面を表示するための情報をユーザー端末１０に送信する。ユーザー端末１０は、図１０の画面を表示して、ユーザーから、会員情報、支払い設定情報、アカウント情報等の入力を受け付け、受け付けた情報を定額制プラン提供装置３０に送信する。会員情報は、たとえば、住所、氏名、連絡先、性別、生年月日等の基本プロフィール情報である。支払い方法は、たとえば、クレジットカード情報、銀行口座情報、その他各種決済サービスのＩＤ情報等である。アカウント情報は、たとえば、図９の画面において登録したニックネーム、メールアドレス、パスワード等である。定額制プラン提供装置３０は、ユーザー端末１０から受信した情報をユーザー情報として記憶部３２のデータベースに記憶する。
【００３８】
続いて、定額制プラン提供装置３０は、ユーザーから契約する定額制プランの選択を受け付ける（ステップＳ１０４）。たとえば、定額制プラン提供装置３０は、ユーザー端末１０からの要求に応じて、図１１に示すような定額制プラン選択画面を表示するための情報をユーザー端末１０に送信する。ユーザー端末１０は、図１１の画面を表示して、ユーザーから、ユーザーが契約する定額制プランの選択を受け付け、受け付けた情報を定額制プラン提供装置３０に送信する。図１１の画面には、ステップＳ１０２の処理において提供者によって登録された定額制プランのリストが表示される。図１１の例では、「○○温泉」という提供者が提供する「温泉入り放題」という定額制プランが月額ＸＸＸ円で利用可能であることが示されている。また、「八百屋○○」という提供者が提供する「野菜・果物とり放題！」という定額制プランが月額ＸＸＸ円で利用可能であることや、「Ｂａｒ○○」という提供者が提供する「毎日夜ご飯無料！」という定額制プランが月額ＸＸＸ円で利用可能であることが示されている。図１１の画面においてユーザーが各プランを選択すると、各プランに関するより詳細な内容や提供条件等が表示されるようにしてもよい。
【００３９】
図１１に示すような定額制プランのリストは、たとえば、飲食、美容、娯楽等のカテゴリー毎に表示されてもよく、価格帯毎に表示されてもよい。あるいは、ユーザーのこれまでの利用状況や、プロフィール情報、ＳＮＳ等の情報に基づいて、内容を異ならせて表示してもよい。たとえば、これまでの利用状況に応じて、ユーザーが興味を持ちそうな定額制プランを抽出して、表示順序を変更したり、表示の位置・大きさ・色・強調度合い等を変更したりすることによって優先的に表示するようにしてもよい。
【００４０】
ユーザーによって定額制プランが選択されると、定額制プラン提供装置３０は、ユーザーが契約締結の確認や支払いを行うための画面をユーザー端末１０に表示させる。ユーザーが、ユーザー端末１０に表示された画面において当該定額制プランに関する契約締結および料金の支払いの操作を実行すると、その旨を示す情報が定額制プラン提供装置３０に送信される。当該情報を受信すると、定額制プラン提供装置３０は、ユーザーを当該定額制プランの契約者として設定する。
【００４１】
続いて、定額制プラン提供装置３０は、ユーザーが契約済みの定額制プランを表示し（ステップＳ１０５）、ユーザーが利用する定額制プランの選択を受け付ける（ステップＳ１０６）。たとえば、定額制プラン提供装置３０は、ユーザー端末１０からの要求に応じて、図１２に示すような会員パス一覧画面を表示するための情報をユーザー端末１０に送信する。ユーザー端末１０は、図１２の画面を表示して、ユーザーから、ユーザーが利用する定額制プランの選択を受け付け、選択を受け付けた定額制プランを示す情報を定額制プラン提供装置３０に送信する。図１２の画面には、ステップＳ１０４の処理においてユーザーが契約した定額制プランのリストが表示される。リストは、飲食、美容、娯楽等のカテゴリー毎に表示されてもよく、価格帯毎に表示されてもよい。あるいは、利用状況、回数、残り回数等に応じて緊急度や重要度が高いものから順に表示されてもよく、予め登録された定期的なスケジュールやユーザーの利用履歴等に応じて表示されてもよい。
【００４２】
続いて、定額制プラン提供装置３０は、ユーザーが利用する定額制プランの利用確認画面を示す情報を確認画面情報として出力する（ステップＳ１０７）。たとえば、定額制プラン提供装置３０は、図１３に示すような会員パス画面を表示するための情報を出力してユーザー端末１０に送信し、ユーザー端末１０は、図１３の画面を表示する。図１３の会員パス画面は、ユーザーが当該定額制プランの契約者であることを提供者に対して証明するための確認画面であり、当該定額制プランの会員パス（会員証）として使用される。
【００４３】
図１３の会員パス画面には、定額制プランの正当な契約者以外のユーザーが会員パス画面を複製して利用することを防止するために、所定の動的コンテンツが表示される。定額制プラン提供装置３０は、上記のような所定の動的コンテンツを表示するための情報を確認画面情報とあわせてユーザー端末１０に送信する。たとえば、所定の動的コンテンツとして、１秒毎等の所定の間隔ごとに現在時刻が表示されてもよい。あるいは、所定の図形やキャラクター等の動作を示す動画像が表示されてもよい。
【００４４】
また、図１３の会員パス画面には、定額制プランに関する商品またはサービスの提供が行われることを確認する確認ボタンが表示される。定額制プラン提供装置３０は、上記のような確認ボタンを示す情報を確認画面情報とあわせてユーザー端末１０に送信する。ユーザー端末１０において確認ボタンが押下されることによって、定額制プランの商品・サービスの提供が行われることが確認される。ここで、確認ボタンは、ユーザーによって押下されてもよく、提供者によって押下されてもよい。また、ユーザーおよび提供者のそれぞれが商品・サービスの提供を確認するために、ユーザー用の確認ボタンと提供者用の確認ボタンがそれぞれ別個に設けられてもよい。
【００４５】
また、図１３の会員パス画面を表示する際、または図１３の確認ボタンが押下された際等の所定のタイミングにおいて、ユーザーが本人であることを確認するためのユーザー認証を行ってもよい。定額制プラン提供装置３０は、ユーザー認証を行う旨を指示する認証指示をユーザー端末１０に送信する。ユーザー端末１０は、認証部として、たとえば、図１４に示すような画面を表示して、ユーザー認証を行う。図１４の画面においては、ユーザーが予め設定したパスコード、または指紋情報、顔画像情報、静脈情報、虹彩情報等の生体情報を入力すること等によって、ユーザー認証を行う旨の指示が表示されている。ユーザーによって入力された生体情報は、基準生体情報として予め記憶されたユーザーの生体情報と比較され、比較結果に基づいて正当なユーザーの生体情報が入力されたか否かが判断される。正当なユーザーの生体情報が入力されると、ユーザー認証が成功したと判断され、定額制プラン提供装置３０は処理を継続する。
【００４６】
ユーザー端末１０において確認ボタンが押下されると、ユーザー端末１０はその旨を定額制プラン提供装置３０に通知する（ステップＳ１０８）。定額制プラン提供装置３０は、上記の通知を受信すると、ユーザーによって定額制プランが利用されたことを記憶部３２のデータベースに記録する（ステップＳ１０９）。これにより、定額制プラン提供装置３０は、ユーザーによる定額制プランの利用状況や利用回数、残り回数等の情報を管理することができる。
【００４７】
本実施形態は、以下の効果を奏する。
【００４８】
定額制プラン提供装置３０は、ユーザーに対して対面で商品またはサービスを提供する提供者から、当該提供者に関する提供者情報の登録を受け付け、また、ユーザーから、ユーザーに関するユーザー情報の登録を受け付ける。そして、定額制プラン提供装置３０は、提供者から定額制プランの登録を受け付け、登録された定額制プランを出力してユーザーから契約する定額制プランの選択を受け付ける。そして、定額制プラン提供装置３０は、ユーザーによって選択された定額制プランの料金の支払いに関する処理を実行し、ユーザーを当該定額制プランの契約者として設定する。定額制プラン提供装置３０は、ユーザーが当該定額制プランの契約者であることを提供者に対して証明するための確認画面を示す確認画面情報を出力する。
【００４９】
これにより、ユーザーに対面してオフラインで直接商品・サービスを提供する提供者は、定額制プラン提供装置３０に定額制プランを登録するだけで、ユーザーからの利用申し込みを受け付けて、契約および料金の支払いまで完了させることができる。さらに、ユーザーが定額制プランの契約者であることを証明するための確認画面が提供されるため、提供者が正当な契約者を容易に識別できる。したがって、ユーザーに対面してオフラインで直接商品・サービスを提供する提供者は、容易かつ効率的に定額制プランを提供することができる。また、ユーザーは、定額制プラン提供装置３０にユーザー情報を一度登録しておけば、各提供者が提供する様々な定額制プランを契約する度にユーザー情報を登録する必要がなくなるため、ユーザーの登録および契約に係る手間を大幅に省くことができる。
【００５０】
また、定額制プラン提供装置３０は、確認画面において所定の動的コンテンツを表示するための情報を確認画面情報に含めて出力する。これにより、正当な確認画面には動的コンテンツが表示される。したがって、提供者が確認画面に動的コンテンツが表示されていることを確認することによって、定額制プランの正当な契約者以外のユーザーが会員パス画面を複製して不正に利用することを防止できる。
【００５１】
また、定額制プラン提供装置３０は、確認画面において所定の間隔ごとに現在時刻を表示するためのプログラムコード等の情報を確認画面情報に含めて出力する。これにより、正当な確認画面には所定の間隔ごとに現在時刻が動的表示される。したがって、提供者が確認画面に現在時刻が動的表示されていることを確認することによって、定額制プランの正当な契約者以外のユーザーが会員パス画面を複製して不正に利用することを防止できる。
【００５２】
また、定額制プラン提供装置３０は、確認画面において定額制プランに関する商品またはサービスの提供が行われることを確認する確認ボタンを表示するための情報を確認画面情報に含めて出力する。これにより、確認画面に確認ボタンが表示されるため、ユーザーおよび提供者は定額制プランに係る商品・サービスが提供されることを明示的に確認できる。
【００５３】
また、定額制プラン提供装置３０は、確認ボタンが押下されたことを検知すると、定額制プランの商品またはサービスの提供が行われたことを記録する。これにより、定額制プラン提供装置３０において、定額制プランの利用状況、提供回数、残り回数等を把握することができ、たとえば、把握した情報に基づいて提供者に潜在的ユーザーを提案したり、ユーザーに対しておすすめの定額制プランを提案したりすることができる。
【００５４】
また、定額制プラン提供システム１は、定額制プラン提供装置３０と、ユーザーに所持され、定額制プラン提供装置３０と通信可能なユーザー端末１０を含んで構成される。そして、定額制プラン提供装置３０は、確認画面情報とあわせて、ユーザー端末１０においてユーザーの認証を行う旨の認証指示をユーザー端末１０に送信し、ユーザー端末１０は、確認画面情報に基づいて確認画面を表示すると共に、認証指示に基づいてユーザーの認証を行う。これにより、定額制プランの正当な契約者以外のユーザーが不正に定額制プランを利用することを防止できる。
【００５５】
また、ユーザー端末１０は、基準生体情報として予め記憶されたユーザーの生体情報と、ユーザーの認証を行う際に取得したユーザーの生体情報を比較してユーザーの生体認証を行う。これにより、生体情報を用いたユーザー認証が可能となるため、正当な契約者以外のユーザーが不正に定額制プランを利用することをより簡単かつ確実に防止できる。
【００５６】
なお、本発明は、上述した実施形態に限定されず、特許請求の範囲内において、種々の変更や改良等が可能である。
【００５７】
たとえば、上述した本実施形態では、定額制プラン提供装置３０が、定額制プランを提供等するためのプラットフォームをウェブサイトの形態で提供する例について説明したが、プラットフォームの提供形態はこれに限定されない。たとえば、定額制プラン提供装置３０によって提供される機能の一部は、ユーザー端末１０または提供者端末２０にインストールされたアプリケーションによって実行されてもよい。
【００５８】
また、上述した実施形態に係る定額制プラン提供システム１の処理は、上述したステップ以外のステップを含んでもよく、あるいは、上述したステップのうちの一部を含まなくてもよい。また、ステップの順序は、上述した実施形態に限定されない。さらに、各ステップは、他のステップと組み合わされて一つのステップとして実行されてもよく、他のステップに含まれて実行されてもよく、複数のステップに分割されて実行されてもよい。
【００５９】
また、上述した実施形態に係る定額制プラン提供システム１の各装置における各種処理を行う手段および方法は、専用のハードウエア回路、またはプログラムされたコンピューターのいずれによっても実現することが可能である。上記のプログラムは、例えば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記のプログラムは、単独のアプリケーションソフトとして提供されてもよいし、定額制プラン提供システム１の各装置の一機能としてその装置のソフトウエアに組み込まれてもよい。
【符号の説明】
【００６０】
１  定額制プラン提供システム、
１０  ユーザー端末、
１１  制御部、
１２  記憶部、
１３  通信部、
１４  表示部、
１５  操作受付部、
２０  提供者端末、
２１  制御部、
２２  記憶部、
２３  通信部、
２４  表示部、
２５  操作受付部、
３０  定額制プラン提供装置、
３１  制御部、
３２  記憶部、
３３  通信部、
３１１  提供者登録部、
３１２  ユーザー登録部、
３１３  プラン登録部、
３１４  選択受付部、
３１５  設定部、
３１６  出力部、
３１７  管理部。
【図１】
2020067963.tif 000003
【図２】
2020067963.tif 000004
【図３】
2020067963.tif 000005
【図４】
2020067963.tif 000006
【図５】
2020067963.tif 000007
【図６】
2020067963.tif 000008
【図７】
2020067963.tif 000009
【図８】
2020067963.tif 000010
【図９】
2020067963.tif 000011
【図１０】
2020067963.tif 000012
【図１１】
2020067963.tif 000013
【図１２】
2020067963.tif 000014
【図１３】
2020067963.tif 000015
【図１４】
2020067963.tif 000016
【手続補正書】
【提出日】平成30年10月31日(2018.10.31)
【手続補正１】
【補正対象書類名】明細書
【補正対象項目名】０００７
【補正方法】変更
【補正の内容】
【０００７】
上記の目的を達成するための、本発明の一実施形態に係る定額制プラン提供装置は、提供者登録部、ユーザー登録部、プラン登録部、選択受付部、設定部、および出力部を有する。提供者登録部は、ユーザーに対して対面で商品またはサービスを提供する提供者から、当該提供者に関する提供者情報の登録を受け付ける。ユーザー登録部は、ユーザーから、ユーザーに関するユーザー情報の登録を受け付ける。プラン登録部は、提供者から商品またはサービスを所定の期間ごとに定額で提供する定額制プランの登録を受け付ける。選択受付部は、プラン登録部において受け付けられた定額制プランを出力してユーザーから契約する定額制プランの選択を受け付ける。設定部は、選択受付部において選択を受け付けられた定額制プランの料金の支払いに関する処理を実行し、ユーザーを定額制プランの契約者として設定する。出力部は、ユーザーが定額制プランの契約者であることを、ユーザーが提供者に対して証明するための確認画面を示す確認画面情報を出力する。
また、上記の目的を達成するための、本発明の一実施形態に係る定額制プラン提供システムは、定額制プラン提供装置と、ユーザーに所持され、定額制プラン提供装置と通信可能なユーザー端末とを有する。定額制プラン提供装置の出力部は、確認画面情報とあわせて、ユーザー端末においてユーザーの認証を行う旨の認証指示をユーザー端末に送信する。ユーザー端末は、確認画面情報に基づいて確認画面を表示する表示部と、認証指示に基づいてユーザーの認証を行う認証部とを有する。
また、上記の目的を達成するための、本発明の一実施形態に係る定額制プラン提供プログラムは、提供者登録ステップ、ユーザー登録ステップ、プラン登録ステップ、選択受付ステップ、設定ステップ、および出力ステップをコンピューターに実行させる。提供者登録ステップは、ユーザーに対して対面で商品またはサービスを提供する提供者から、当該提供者に関する提供者情報の登録を受け付ける。ユーザー登録ステップは、ユーザーから、ユーザーに関するユーザー情報の登録を受け付ける。プラン登録ステップは、提供者から商品またはサービスを所定の期間ごとに定額で提供する定額制プランの登録を受け付ける。選択受付ステップは、プラン登録ステップにおいて受け付けられた定額制プランを出力してユーザーから契約する定額制プランの選択を受け付ける。設定ステップは、選択受付ステップにおいて選択を受け付けられた定額制プランの料金の支払いに関する処理を実行し、ユーザーを定額制プランの契約者として設定する。出力ステップは、ユーザーが定額制プランの契約者であることを、ユーザーが提供者に対して証明するための確認画面を示す確認画面情報を出力する。
【手続補正２】
【補正対象書類名】明細書
【補正対象項目名】０００８
【補正方法】変更
【補正の内容】
【０００８】
本発明によれば、定額制プラン提供装置は、ユーザーに対して対面で商品またはサービスを提供する提供者から、当該提供者に関する提供者情報の登録を受け付け、また、ユーザーから、ユーザーに関するユーザー情報の登録を受け付ける。そして、定額制プラン提供装置は、提供者から定額制プランの登録を受け付け、登録された定額制プランを出力してユーザーから契約する定額制プランの選択を受け付ける。そして、定額制プラン提供装置は、ユーザーによって選択された定額制プランの料金の支払いに関する処理を実行し、ユーザーを当該定額制プランの契約者として設定する。さらに、定額制プラン提供装置は、ユーザーが当該定額制プランの契約者であることを提供者に対して証明するための確認画面を示す確認画面情報を出力する。これにより、ユーザーに対面してオフラインで直接商品・サービスを提供する提供者が、容易かつ効率的に定額制プランを提供することができる。